(57)【要約】【課題】加熱調理機器側への油滴の垂れ落ちを可及的に防止するとともに、浄化部到達前の流路の油脂汚れを可及的に防止しつつ、ドレンパン内に溜まっている油滴が発火し難い油煙浄化装置を提供する。【解決手段】この油煙浄化装置１は、加熱調理機器Ｋでの調理によって発生する油煙Ｇを自身軸線ＣＬに沿って内部に導入するように加熱調理機器Ｋの上方に対向配置される外筒１０と、外筒１０内の上側に配置されて外筒１０内に導入された油煙Ｇを軸線ＣＬに沿って設けられた放電線２３と集塵筒２１とによる静電集塵で浄化する浄化部２０と、外筒１０内の下側に配置されて自身中央部が空洞をなしその空洞部３１が浄化部２０への油煙Ｇを導く流路とされるとともに集塵筒２１の下端に対向する位置に油溜まり３２が形成された環状のドレンパン３０とを備える。【選択図】図１
2019011888.tif 000002
【特許請求の範囲】
【請求項１】
加熱調理機器での調理によって発生する油煙を自身軸線に沿って内部に導入するように加熱調理機器の上方に対向配置される外筒と、
前記外筒内の上側に配置されて前記外筒内に導入された油煙を前記軸線に沿って設けられた放電線と集塵筒とによる静電集塵で浄化する浄化部と、
前記外筒内の下側に配置されて自身中央が空洞をなしその空洞部が前記浄化部への油煙を導く流路とされるとともに前記集塵筒の下端に対向する位置に油溜まりが形成された環状のドレンパンと、を備えることを特徴とする油煙浄化装置。
【請求項２】
前記浄化部は、
前記集塵筒が、前記外筒の内面に絶縁材を介して前記軸線と並行に支持され、
前記放電線が、前記外筒の上部から絶縁材を介して前記集塵筒の中心に沿って垂下されている請求項１に記載の油煙浄化装置。
【請求項３】
前記外筒は、自身側方に設けられた開閉扉を有し、
前記集塵筒は、前記開閉扉から着脱可能になっている請求項２に記載の油煙浄化装置。
【請求項４】
前記外筒は、自身下端の内面に付設された載置部を有し、
前記ドレンパンは、前記載置部に載置されるとともに、前記開閉扉から水平方向に取り出し可能になっている請求項２または３に記載の油煙浄化装置。
【請求項５】
前記外筒には、前記絶縁材として、前記外筒上部の内周面に且つ周方向に離隔配置された複数の第一絶縁材が設けられ、該第一絶縁材の上面が、前記集塵筒の支持部になっており、
前記集塵筒は、前記複数の第一絶縁材に径方向でそれぞれ対向する位置の上側に位置位するように、径方向外側に張り出す複数の係止爪を有する請求項２〜４のいずれか一項に記載の油煙浄化装置。
【請求項６】
前記外筒は、前記浄化部の近傍に、浄化部用の電源部が付設されるとともに、自身の上端部が、排煙ダクトに連通状態で接続可能に構成されている請求項１〜５のいずれか一項に記載の油煙浄化装置。
【請求項７】
前記外筒は、前記浄化部の近傍に、浄化部用の電源部が付設されるとともに、前記浄化部の上部に室内に排煙可能に形成された排煙口を有し、
前記外筒の上端部が、天井側の支持部材に垂下された状態で支持可能に構成されている請求項１〜５のいずれか一項に記載の油煙浄化装置。
【請求項８】
前記天井側の支持部材は、水平方向に張り渡されたガイドレールであり、
前記外筒の上端部は、前記ガイドレールに沿ってスライド移動可能且つ水平方向での任意の位置で固定可能な支持具を介して前記ガイドレールに支持されている請求項７に記載の油煙浄化装置。
【請求項９】
前記浄化部は、前記集塵筒内がその軸線に沿って複数の集塵室に分割され、各集塵室それぞれに前記放電線が配置されている請求項１〜８のいずれか一項に記載の油煙浄化装置。
【請求項１０】
各集塵室は、平面視において、前記集塵筒の中心から放射状に且つ前記集塵筒の軸方向に沿って配置された複数の仕切り板によって構成され、各仕切り板の下端部は、前記ドレンパンに対向するように配置されており、さらに、各仕切り板の下端部は、前記集塵筒の中央側が高く径方向外側に向かうにつれて低くなる傾斜面を有する請求項９に記載の油煙浄化装置。
【発明の詳細な説明】
【技術分野】
【０００１】
本発明は、加熱調理機器での調理によって発生する排煙を浄化する装置に係り、特に、排煙中に油脂が含まれる煙（以下、「油煙」ともいう）に対し、その油煙中の油粒等の粒子をコロナ放電により帯電させて集塵する浄化部を備える油煙浄化装置に関する。
【背景技術】
【０００２】
この種の排煙浄化装置として、例えば、特許文献１に記載の技術が開示されている。同文献記載の技術は、電気集塵器を内蔵する浄化部を加熱調理機器の上方に配置している。そして、加熱調理機器側から吸引される油煙は、ドレンパンの周囲を迂回する流路を介して煙浄化装置内の浄化部に導かれ、浄化部に油煙を吸引して油粒等の粒子を除去している。
【０００３】
ここで、同文献記載の技術では、加熱調理機器の中央上方に、平板状のドレンパンを対向配置しており、このドレンパンにより、油煙中の油脂が油滴となって加熱調理機器側に垂れ落ちることを防止している。
【先行技術文献】
【特許文献】
【０００４】
【特許文献１】特開平６−３４７０４７号公報
【発明の概要】
【発明が解決しようとする課題】
【０００５】
しかし、同文献記載の技術では、平板状のドレンパンを加熱調理機器の中央上方に対向配置するため、加熱調理機器から上昇する高温の排気がドレンパンの平板面下部を加熱する。したがって、ドレンパンが高温となり、ドレンパン内に溜まっている油滴が発火するおそれがある。
【０００６】
また、同文献記載の技術では、加熱調理機器側から立ち上る油煙は、ドレンパンの周囲を迂回する流路を介して浄化部に導かれるため、浄化部到達前の流路での油煙温度が下がる。そのため、浄化部到達前の流路が凝集した油脂で汚れ易く、また、この流路に凝集した油脂が油滴となって加熱調理機器側に垂れ落ちるおそれがある。よって、同文献記載の技術は、加熱調理機器側への油滴の垂れ落ちを防止するとともに、浄化部到達前の流路が油脂で汚れるという問題を解決する上で未だ検討の余地がある。
【０００７】
そこで、本発明は、このような問題点に着目してなされたものであって、加熱調理機器側への油滴の垂れ落ちを可及的に防止するとともに、浄化部到達前の流路の油脂汚れを可及的に防止しつつ、ドレンパン内に溜まっている油滴が発火し難い油煙浄化装置を提供することを課題とする。
【課題を解決するための手段】
【０００８】
上記課題を解決するために、本発明の一態様に係る油煙浄化装置は、加熱調理機器での調理によって発生する油煙を自身軸線に沿って内部に導入するように加熱調理機器の上方に対向配置される外筒と、前記外筒内の上側に配置されて前記外筒内に導入された油煙を前記軸線に沿って設けられた放電線と集塵筒とによる静電集塵で浄化する浄化部と、前記外筒内の下側に配置されて自身中央が空洞をなしその空洞部が前記浄化部への油煙を導く流路とされるとともに前記集塵筒の下端に対向する位置に油溜まりが形成された環状のドレンパンと、を備えることを特徴とする。
【０００９】
本発明の一態様に係る油煙浄化装置によれば、ドレンパンが環状なので、加熱調理機器の中央上方に対向配置された平板状のドレンパンと比べて、環状のドレンパン周囲の油溜まり近傍は、流路となる中心の空洞部に比べて雰囲気温度が低温である。よって、ドレンパンの油溜まり内に溜まっている油滴が発火し難い。
【００１０】
さらに、本発明の一態様に係る油煙浄化装置によれば、加熱調理機器での調理によって発生する油煙は、環状のドレンパン中央の空洞部から浄化部に導かれるので、浄化部に至る流路での油煙温度を比較的に高温に維持できる。よって、本発明での流路構成によれば、浄化部近傍まで油脂が凝集し難い。そのため、浄化部到達前の流路での油脂汚れを可及的に防止するとともに、凝集した油脂が油滴となって加熱調理機器側に垂れ落ちるおそれを可及的に防止できる。
【発明の効果】
【００１１】
上述のように、本発明によれば、環状のドレンパン内に溜まっている油滴が発火し難い上、浄化部到達前の流路の油脂汚れ、および、油脂が油滴となって加熱調理機器側に垂れ落ちるおそれを可及的に防止できる。
【図面の簡単な説明】
【００１２】
【図１】本発明の一態様に係る油煙浄化装置の一実施形態の全体構成を示す斜視図であり、同図では、外筒側方に設けられた開閉扉から集塵筒およびドレンパンが着脱可能なイメージを併せて示している。
【図２】図１の油煙浄化装置の要部の縦断面図である。
【図３】図２の油煙浄化装置のＸ−Ｘ断面図である。
【図４】図２の油煙浄化装置のＺ−Ｚ断面図である。
【図５】図１の油煙浄化装置の変形例（第一変形例）を説明する斜視図である。
【図６】図１の油煙浄化装置の変形例（第二変形例）を説明する斜視図である。
【発明を実施するための形態】
【００１３】
以下、本発明の一実施形態について、図面を適宜参照しつつ説明する。なお、図面は模式的なものである。そのため、厚みと平面寸法との関係、比率等は現実のものとは異なることに留意すべきであり、図面相互間においても互いの寸法の関係や比率が異なる部分が含まれている。また、以下に示す実施形態は、本発明の技術的思想を具体化するための装置や方法を例示するものであって、本発明の技術的思想は、構成部品の材質、形状、構造、配置等を下記の実施形態に特定するものではない。
【００１４】
図１に示すように、本実施形態の油煙浄化装置１は、加熱調理機器Ｋの上方に設置される。なお、本実施形態の油煙浄化装置１は、加熱調理機器Ｋとして、調理対象を加熱して調理する機器であれば種々の機器に適用可能である。特に、例えば焼き肉店等の店内においてテーブルに設置される焼き場など、加熱調理によって発生する排煙中に、油脂、煙の粒子および臭気成分が含まれる加熱調理機器に好適である。
【００１５】
本実施形態の例では、油煙浄化装置１は、円筒状の外筒１０と、外筒１０の下端に接続された円筒状の導入筒３と、外筒１０の上端に接続された円筒状の接続筒４とを同軸に有する。本実施形態の導入筒３は、下端部に、下方に向けて拡径する笠部３ｋが設けられ、加熱調理機器Ｋから上昇する油煙Ｇを導入筒３の内部に効率良く導入可能になっている。外筒１０の下端と導入筒３の上端とには、着脱可能な掛け止め構造３ｃが設けられ、導入筒３を容易に着脱可能になっている。接続筒４の下端と外筒１０の上端とは、複数の止めねじ４ｎによって連結されている。
【００１６】
天井近傍には排煙ダクト２が水平に配管されている。排煙ダクト２の下流側には不図示の吸気ファンが設置されている。接続筒４の上端は、排煙ダクト２に連通するように接続され、油煙浄化装置１全体が垂下姿勢で排煙ダクト２に支持されている。
【００１７】
換言すれば、この油煙浄化装置１は、排煙ダクト２が天井側の支持部材とされ、自身の上端部が排煙口１８を有する接続筒４になっている。そして、接続筒４の排煙口１８の部分が排煙ダクト２に連通状態で接続可能に構成されている。これにより、外筒１０は、加熱調理機器Ｋでの調理によって発生する油煙Ｇを自身軸線ＣＬに沿って内部に導入するように加熱調理機器Ｋの上方に対向配置される。
【００１８】
外筒１０には、図２および図３に要部を拡大図示するように、加熱調理機器Ｋでの調理によって発生する油煙Ｇを静電集塵で浄化する浄化部２０が内蔵されている。本実施形態の浄化部２０は、外筒１０内の上側の位置に配置されており、外筒１０内に導入された油煙Ｇを軸線ＣＬに沿って設けられた放電線２３と円筒状の集塵筒２１とを有する。
【００１９】
外筒１０には、上下の絶縁材１１、１２として、外筒上部に且つ周方向に離隔配置された複数の第一絶縁材１１と、外筒下部に且つ周方向に離隔配置された複数の第二絶縁材１２とが内周面に付設されている。本実施形態の例では、図４に示すように、３つの第一絶縁材１１が、周方向に離隔して等配され、各第一絶縁材１１の上面が、集塵筒２１の支持部になっている。そして、集塵筒２１には、複数の第一絶縁材１１に径方向で対向する位置の上側に位置するように、径方向外側に張り出す複数（この例では３つ）の係止爪２２が設けられ、外筒１０内に、上下の絶縁材１１、１２を介して同軸に支持されている。
【００２０】
放電線２３は、図２に示すように、下端に錘２４が接続されるとともに、上端が外筒１０の上部から絶縁材２５を介して集塵筒２１の中心に沿って垂下されている。放電線２３の上端部には、円筒コイルばね状に形成された調心ばね２３ｃが放電線２３と一体形成され、これにより、放電線２３は、可撓性および傾倒性が与えられるとともに、調心ばね２３ｃの作用によって傾倒姿勢から、常に軸線ＣＬに沿って垂下姿勢に復帰するようになっている。なお、油煙浄化装置１が小型である場合（例えば浄化部２０の軸方向長さが３０ｃｍ程度の場合）には、錘２４を省略して放電線２３のみを垂下姿勢としてもよい。
【００２１】
外筒１０には、図１に示すように、浄化部２０の近傍に、浄化部用の電源部４０が上下の支持ブラケット４２により付設されている。電源部４０には、電源ケーブル４１と、連絡ケーブル５０とが接続される。電源ケーブル４１は、その一端が商用電源に接続され、その他端が電源部４０に接続される。電源部４０は、集塵筒２１と放電線２３との間に高電圧印加して静電集塵に必要なコロナ放電を発生できるように構成されている。
【００２２】
連絡ケーブル５０は、図２に示すように、一対の連絡ケーブル５０ａ、５０ｂから構成され、一方の連絡ケーブル５０ａが集塵筒２１に接続され、他方の連絡ケーブル５０ｂが放電線２３に接続される。本実施形態の例では、放電線２３に接続される連絡ケーブル５０ｂ側が負極性とされている。
【００２３】
本実施形態の例では、図２および図３に示すように、放電線２３の上端部の位置には、支持ブロック２６が、絶縁材２５を介してブロック固定ねじ２８により外筒１０の内周面に片持ち状態で中心まで張り出した姿勢で固定されている。支持ブロック２６の中央には、放電線２３の上端部を挿通する挿通穴が設けられており、放電線２３の上端部は、支持ブロック２６の上面側に突設された位置にて、押しねじ２７によって支持ブロック２６に固定されている。そして、挿通穴に挿通された状態の放電線２３の上端部が、負極側の連絡ケーブル５０ｂに接続されている。
【００２４】
また、図２および図３に示すように、外筒１０の内周面には、支持ブロック２６に対して径方向で対向する位置に、絶縁材からなる端子固定板５１が、端子板固定ねじ５４によって固定されている。そして、正極側の連絡ケーブル５０ａの先端には、板ばね材から形成された端子板５２が接続され、端子固定板５１の先端が下方に垂下された状態で、端子板５２の基端側が端子固定ねじ５３によって端子固定板５１に固定されている。端子固定板５１の先端は、一の第一絶縁材１１に対向する位置まで張り出しており、図２に示す集塵筒２１の装着状態のときに、集塵筒２１の上端を内面側から当該第一絶縁材１１の側に向けて弾性力で押圧して電気的接続状態を保持できるようになっている。
【００２５】
さらに、外筒１０の内部には、集塵筒２１の下端に対向する位置に、油溜まり３２が形成された円環状のドレンパン３０が配置されている。一方、外筒１０には、自身下端に円環状の載置部１６が設けられ、ドレンパン３０は、載置部１６に水平姿勢で載置されている。円環状のドレンパン３０は、自身中央が空洞をなしてなる円形の空洞部３１と、油Ａが溜まる円環状の油溜まり３２とを有する。
【００２６】
油溜まり３２は、集塵筒２１の下端に対向する位置に円環状に形成されている。空洞部３１は外筒１０内の下側に位置するように配置され、この空洞部３１が浄化部２０への油煙Ｇを導く流路とされている。本実施形態では、円環状のドレンパン３０の外周面は、外筒１０の内周面に接触または僅かな隙間を隔てて対向する外径寸法とされ、これにより、油溜まり３２の部分の雰囲気温度が低くなるようにドレンパン３０が配置される。
【００２７】
図１に戻り、本実施形態では、外筒１０側面には、開閉扉１３が開閉可能に設けられている。開閉扉１３は、支持部側の上下にヒンジ１４が設けられ、開放側端部の中央には、手動操作による掛け止め部を有する係止錠１５が設けられている。開閉扉１３は、開閉扉１３を開いた部分からドレンパン３０を水平方向に取り出し可能な形状と大きさになっている。また、集塵筒２１についても、開閉扉１３を開いた部分から着脱可能になっている。
【００２８】
なお、本実施形態では、係止錠１５の開錠操作に伴う可動部には、不図示のリミットスイッチが設けられており、リミットスイッチが係止錠１５の開錠操作に連動して、係止錠１５が開錠されているときは、電源部４０の電源スイッチのＯＮ／ＯＦＦにかかわらず、電源供給が常に「ＯＦＦ」とされるようになっている。
【００２９】
次に、本実施形態の油煙浄化装置１の動作および作用効果について説明する。
本実施形態の油煙浄化装置１は、加熱調理機器Ｋが調理に用いられるときに稼働される。本実施形態の油煙浄化装置１を稼働する際は、排煙ダクト２側の吸気ファンを作動させるとともに、電源部４０に設けられている不図示の電源スイッチを「ＯＮ」にする。これにより、排煙ダクト２内が負圧となり、排煙ダクト２に連通する油煙浄化装置１は、導入筒３の先端から室内の空気を吸引する。導入筒３の先端は、加熱調理機器Ｋの中央上方に対向配置されているため、加熱調理機器Ｋでの調理によって発生する油煙Ｇが、油煙浄化装置１の軸線ＣＬに沿って外筒１０内部に導入される。
【００３０】
そして、商用電源から電源部４０に供給された電力は、電源部４０にて静電集塵に必要な直流高圧電圧を印加するように集塵筒２１と放電線２３とに供給される。これにより、放電線２３からコロナ放電が発生し、外筒１０内部に導入された油煙Ｇ中の油滴粒子は負に帯電する。そのため、径方向で対向する集塵筒２１の内周面に油煙Ｇ中の油滴粒子が引き寄せられる。
【００３１】
これにより、油煙Ｇ中の油滴粒子が集塵筒２１の内周面に付着することにより油煙Ｇから油滴粒子が除去される。そして、油滴粒子が除去された後の油煙Ｇは、排煙ダクト２から室外に排出される。よって、室内の空気が清浄に保たれる。なお、図２において、放電線２３の周囲に記載するマイナス符号を付した丸印は、油煙Ｇ中の油滴粒子が負に帯電するイメージを示し、集塵筒２１側に記載するプラス符号を付した丸印は、集塵筒２１が正極性を帯びたイメージを示している。
【００３２】
集塵筒２１の内周面に付着した油滴粒子は、雰囲気温度が流路となる中心の空洞部３１に比べて低温なので次第に凝集し、集塵筒２１の内周面に沿って油滴Ａとなって下方に移動する。集塵筒２１の下端には、集塵筒２１の下端に対向する位置に、油溜まり３２が形成された円環状のドレンパン３０が配置されているので、油滴Ａをドレンパン３０の油溜まり３２に効率良く溜めることができる。
特に、本実施形態では、円環状のドレンパン３０の外周面は、外筒１０の内周面に接触または僅かな隙間を隔てて対向する外径寸法とされているので、油溜まり３２の部分の雰囲気温度を低くする上で好適である。
【００３３】
そして、本実施形態の油煙浄化装置１によれば、上述したような簡素な構成なので、装置の製造および設置コストが安価であり、また、油煙流の妨げとなるものは垂下された放電線２３のみなので圧力損失は小さく、さらに、高電圧を用いるものの電流は小さいため、消費電力も小さく経済的である。
特に、本実施形態の油煙浄化装置１によれば、ドレンパン３０が環状なので、加熱調理機器Ｋの中央上方に、平板状のドレンパンを対向配置した油煙浄化装置と比べて、環状のドレンパン３０周囲の油溜まり３２近傍は、油煙Ｇの流路となる中心の空洞部３１に比べて雰囲気温度が低温である。よって、ドレンパン３０の油溜まり３２内に溜まっている油滴Ａが発火し難い。
【００３４】
さらに、この油煙浄化装置１によれば、加熱調理機器Ｋでの調理によって発生する油煙Ｇは、環状のドレンパン中央の空洞部３１から浄化部２０に導かれるので、浄化部２０に至る流路（つまり空洞部３１）での油煙温度を比較的に高温に維持できる。よって、この油煙浄化装置１での流路構成によれば、浄化部２０の近傍まで油脂が凝集し難い。そのため、浄化部到達前の流路での油脂汚れを可及的に防止するとともに、凝集した油脂が油滴Ａとなって加熱調理機器Ｋ側に垂れ落ちるおそれを可及的に防止できる。
【００３５】
また、本実施形態の油煙浄化装置１は、加熱調理機器Ｋが調理に用いられていないときに、容易に清掃することができる。本実施形態の油煙浄化装置１を清掃する作業は、加熱調理機器Ｋが調理に用いられておらず、且つ加熱調理機器Ｋおよび油煙浄化装置１が室温程度まで冷却されている状態で行う。油煙浄化装置１を清掃する際は、電源部４０の電源スイッチを「ＯＦＦ」とし、係止錠１５を開錠操作して開閉扉１３を開き、外筒１０の側面を開放状態とする。
【００３６】
この状態において、ドレンパン３０は、開閉扉１３から水平方向に取り出し可能になっているので、ドレンパン３０を傾けずに取り出すことができる。そのため、油溜まり３２内に溜まっている油滴Ａがこぼれ難い。なお、図１に符号Ｄ２を付して示す矢印は、ドレンパン３０を開閉扉１３の開示部から水平方向に挿抜可能なイメージを示している。
【００３７】
また、集塵筒２１についても、開閉扉１３の開口部から容易に挿抜可能である。集塵筒２１を取り出す際は、集塵筒２１の外周面を手で把持して、第一絶縁材１１の上面に乗っている係止爪２２が第一絶縁材１１の上面から外れる位置まで周方向に手で回転させる。これにより、集塵筒２１の載置状態が解除されるので、集塵筒２１を外筒１０の軸方向に移動させることができる。
【００３８】
ここで、集塵筒２１の中心には、放電線２３が垂下されているものの、放電線２３は可撓性および傾倒性がある。そのため、放電線２３を傾けつつ集塵筒２１を外筒１０の側面方向に引き抜くことができる。
そして、放電線２３は、放電線２３の上端に設けた調心ばね２３ｃによって傾倒姿勢から、常に軸線ＣＬに沿って垂下姿勢に復帰するように付勢されているので、垂下姿勢が維持される。なお、図１に符号Ｄ１を付して示す矢印は、開閉扉１３の開口部から、集塵筒２１を放電線２３の自由端側から下方斜め方向に挿抜可能なイメージを示している。
【００３９】
そして、集塵筒２１を取り外した後は、集塵筒２１内面および放電線２３の外周面を清掃し、その後、上記と逆の手順で、集塵筒２１を外筒１０内に戻すことができる。よって、本実施形態の油煙浄化装置１によれば、清掃時の作業性やメンテナンス性にも優れている。
なお、本実施形態の油煙浄化装置１は、油煙が立ち上る加熱調理機器の油煙浄化用として極めて優れているが、加熱調理機器の油煙浄化用に限らず、他の用途に転用することも可能である。例えば、たばこの煙や線香の煙を浄化する用途にも転用できる。
【００４０】
以上説明したように、本実施形態の油煙浄化装置１によれば、環状のドレンパン３０内に溜まっている油滴Ａが燃え難い上、浄化部２０に到達前の流路の油脂汚れ、および、油脂が油滴Ａとなって加熱調理機器Ｋ側に垂れ落ちるおそれを可及的に防止できる。なお、本発明に係る油煙浄化装置は、上記実施形態に限定されるものではなく、本発明の趣旨を逸脱しなければ種々の変形が可能なことは勿論である。
【００４１】
例えば、上記実施形態では、油煙浄化装置１が、一の集塵筒２１内に、上方の支持ブロック２６から一本の放電線２３を垂下してなる例を示したが、これに限定されず、複数の集塵筒や集塵室を有する構成としてもよい。例えば、集塵筒２１内を軸線に沿って複数の集塵室に分割し、各集塵室それぞれに放電線を配置してもよい。このような構成であれば、集塵性能を向上させる上で好適である。なお、この構成の場合、各集塵室が、実質的に集塵筒としてそれぞれ機能する。
【００４２】
ここで、複数の集塵室を有する構成とする場合において、各集塵室は、平面視において、集塵筒２１の中心から放射状に配置されるとともに、板の面が集塵筒２１の軸方向に沿って配置された複数の仕切り板によって構成することが好ましい。さらに、この場合において、集塵筒２１内で隣り合う集塵室を仕切る各仕切り板の下端部をドレンパン３０に対向するように配置することが好ましい。
【００４３】
また、上記仕切り板の下端部（下端の縁部）を、集塵筒２１の中央側を高くするとともに径方向外側に向かうにつれて低くなる傾斜面で形成することが好ましい。このような構成であれば、仕切り板に付着した油煙Ｇが仕切り板の下端部に移動して油滴Ａとなったときに、上記傾斜面に沿ってドレンパン３０の油溜まり３２側に油滴Ａを導くことができる。よって、集塵筒２１内を軸線に沿って複数の集塵室に分割する構成を採用する場合に、加熱調理機器Ｋの側に油滴Ａが垂れ落ちるおそれを可及的に防止する上で好適である。
【００４４】
また、例えば上記実施形態では、外筒１０、集塵筒２１等が円筒状に形成され、ドレンパン３０が円環状に形成されている例を示したが、これに限定されず、外筒１０、集塵筒２１等を四角形やそれ以上の多角形の筒状としてもよく、ドレンパン３０もこれに併せて、四角環形状やそれ以上の多角環形状としてもよい。
【００４５】
また、例えば上記実施形態では、天井近傍に排煙ダクト２が水平に配管されており、油煙浄化装置１全体が垂下姿勢で排煙ダクト２に支持されている例を説明したが、本発明に係る油煙浄化装置は、これに限定されない。以下に、上記実施形態の変形例を図５および図６に示す。なお、以下の変形例において、上記実施形態と同様または対応する構成には同一の符号を付すとともにその説明を省略する。
【００４６】
［第一変形例］
第一変形例は、図５に示すように、天井近傍には排煙ダクト２が設けられておらず、排煙ダクト２に替えて、天井側の支持部材としてガイドレール５が水平に張り渡されている。ガイドレール５の適所には支持具８が設けられている。一方、外筒２０の上端面には、連結用ブラケット６を介して支持ロッド７が連結されており、支持ロッド７の上端が支持具８に固定されている。これにより、第一変形例の油煙浄化装置１は、上記実施形態同様に、加熱調理機器Ｋでの調理によって発生する油煙Ｇを自身軸線ＣＬに沿って内部に導入するように加熱調理機器Ｋの上方に対向配置される。
【００４７】
ここで、第一変形例では、同図に示すように、浄化部用の電源部４０は、浄化部２０の上部に内蔵され、電源部４０の下部に、小型の吸気ファン（不図示）が設置されている。また、第一変形例では、外筒２０の側面には、浄化部２０の上部の位置に、排煙口１８が開口しており、浄化部２０で浄化後の油煙Ｇは、排煙口１８から室内に排煙されるようになっている。
【００４８】
第一変形例の構成であれば、浄化部用の電源部４０が外筒２０の内部に配置されているので、外観品質を向上させることができる。また、設置対象となる加熱調理機器Ｋが、油煙Ｇ中の油脂量が少ない場合など、室内に排煙しても必要十分なときには、排煙ダクト２とその関連設備を省略できるため、設置コストを削減できる。なお、第一変形例では、室内に排煙するための排煙口１８を外筒２０の側面に設けた例を示したが、これに限らず、室内排煙用の排煙口１８は、外筒２０の上端面に設けてもよいし、また、一箇所に限定されず、複数個所に設けてもよい。
【００４９】
［第二変形例］
第二変形例は、図６に示すように、第一変形例に対して、支持具８が、ガイドレール５に沿ってスライド移動可能に外嵌しており、ガイドレール５上の任意の位置で、固定ねじ９によって固定可能に構成されている点が第一変形例と相違している。また、第二変形例では、第一変形例の排煙口１８の部分が、側方に張り出す矩形ダクト状に形成されており、この矩形ダクト状の排煙口１８の部分に、可撓性を有するフレキシブルダクト２が着脱可能に構成されている。
【００５０】
第二変形例の構成であれば、第二変形例の油煙浄化装置１を、ガイドレール５に沿ってスライド移動可能且つ水平方向での任意の位置で固定可能なので、水平方向に張り渡されたガイドレール５の範囲においてレイアウト変更が容易である。また、排煙口１８の部分にフレキシブルダクト２が着脱可能になっているので、室内への排煙の要否についても、設置コストや要求される状況に応じて適宜選択して設定できる。
【符号の説明】
【００５１】
１    油煙浄化装置
２    排煙ダクト
３    導入筒
４    接続筒
５    ガイドレール（天井側の支持部材）
６    連結用ブラケット
７    支持ロッド
８    支持具
９    固定ねじ
１０    外筒
１１    第一絶縁材（絶縁材）
１２    第二絶縁材（絶縁材）
１３    開閉扉
１４    ヒンジ
１５    係止錠
１６    載置部
１８    排煙口
２０    浄化部
２１    集塵筒
２２    係止爪
２３    放電線
２４    錘
２５    絶縁材
２６    支持ブロック
２７    押しねじ
２８    ブロック固定ねじ
３０    ドレンパン
３１    空洞部（流路）
３２    油溜まり
４０    電源部
４１    電源ケーブル
４２    支持ブラケット
５０（５０ａ、５０ｂ）    連絡ケーブル
５１    端子固定板
５２    端子板
５３    端子板固定ねじ
５４    端子固定ねじ
ＣＬ    軸線
Ａ    油
Ｇ    油煙
Ｋ    加熱調理機器
【図１】
2019011888.tif 000003
【図２】
2019011888.tif 000004
【図３】
2019011888.tif 000005
【図４】
2019011888.tif 000006
【図５】
2019011888.tif 000007
【図６】
2019011888.tif 000008